(57)【要約】【課題】デジタルカメラで撮影した画像ファイルを受信したファクシミリ装置で、その画像ファイルを復号して普通の記録紙に印刷すると高画質な画像が得られない。【解決手段】カラー画像情報を通信可能なファクシミリ装置であって、送信機から色空間ｓＹＣＣのＪＰＥＧ符号情報が送信された場合（Ｓ１０）、写真用紙がセットされていると（Ｓ１１）、その受信したＪＰＥＧ符号情報を記録部により記録する（Ｓ１２）。写真用紙がセットされていない時はメモリカードに、その受信データを記憶する（Ｓ１５）。【選択図】  図５
2004228899.tif 000002
【特許請求の範囲】
【請求項１】
カラー画像情報を通信可能なファクシミリ装置であって、
送信機に対して色空間ＬａｂのＪＰＥＧ符号情報の受信機能の有無を通知する手段と、
色空間Ｌａｂのフルカラー情報の受信機能の有無を通知する手段と、
色空間ｓＹＣＣのＪＰＥＧ符号情報の受信機能の有無を通知する手段と、
記録部に装着されている記録紙の紙種を判定する判定手段と、
前記送信機から前記ＪＰＥＧ符号情報が送信されると、前記判定手段により特定の紙種の記録紙が装着されているか否かに応じて、受信した前記ＪＰＥＧ符号情報の前記記録部による記録を制御する制御手段と、
を有することを特徴とするファクシミリ装置。
【発明の詳細な説明】
【０００１】
【発明の属する技術分野】
本発明は、カラー画像情報を送受信する技術に関するものである。
【０００２】
【従来の技術】
従来のカラー画像情報を通信可能なファクシミリ装置では、ＩＴＵ−Ｔ勧告Ｔ．３０，Ｔ．４，Ｔ．８１，Ｔ．４２で決められた色空間Ｌａｂで、カラー画像情報を送受信していた。このような従来のカラーファクシミリ装置では、カラー原稿情報の送受信を行っていたため特に問題はなかったが、最近は、デジタルスチルカメラが普及し、このようなデジタルスチルカメラで撮影したカラー画像情報をそのままファクシミリのプロトコルを使用して送信したいというニーズが高まってきた。しかしながら、このようなデジタルカメラで使用しているカラー画像情報の色空間はＬａｂでなく色空間ｓＹＣＣであり、またこのデジタルカメラではカラー画像の符号化方法にはＪＰＥＧ符号化が採用されている。このため、デジタルカメラで撮影した画像を送信するために、色空間ｓＹＣＣでのＪＰＥＧ符号をそのまま送信するプロトコルが検討されている。
【０００３】
【発明が解決しようとする課題】
しかしながら、デジタルスチルカメラで撮影した画像情報を送信する場合、そのカメラのメモリカードに記憶されている画像ファイルをそのまま送信することが考えられる。この場合、受信側のファクシミリ装置では、その画像ファイルを受信して印刷する場合、その画像ファイルを復号して印刷する必要がある。即ち、送信側のファクシミリ装置では、通常のカラー画像データのように、解像度２００ｄｐｉ等といった解像度を設定せずに、デジタルスチルカメラで撮影した解像度のまま送信しているので、この画像ファイルを受信したファクシミリ装置でその画像ファイルを復号して普通の記録紙に印刷すると高画質な画像が得られないという問題があった。
【０００４】
本発明は上記従来例に鑑みてなされたもので、ＪＰＥＧ符号情報を受信して、特定の紙種の記録紙に記録することを目的とする。
【０００５】
【課題を解決するための手段】
上記目的を達成するために本発明のファクシミリ装置は以下のような構成を備える。即ち、
カラー画像情報を通信可能なファクシミリ装置であって、
送信機に対して色空間ＬａｂのＪＰＥＧ符号情報の受信機能の有無を通知する手段と、
色空間Ｌａｂのフルカラー情報の受信機能の有無を通知する手段と、
色空間ｓＹＣＣのＪＰＥＧ符号情報の受信機能の有無を通知する手段と、
記録部に装着されている記録紙の紙種を判定する判定手段と、
前記送信機から前記ＪＰＥＧ符号情報が送信されると、前記判定手段により特定の紙種の記録紙が装着されているか否かに応じて、受信した前記ＪＰＥＧ符号情報の前記記録部による記録を制御する制御手段と、
を有することを特徴とする。
【０００６】
【発明の実施の形態】
以下、添付図面を参照して本発明の好適な実施の形態を詳細に説明する。
【０００７】
図１は、本発明の実施の形態に係るファクシミリ装置の構成を示すブロック図である。
【０００８】
図において、２はＮＣＵ（網制御装置）で、電話回線２ａをデータ通信等に使用するために電話回線２ａを介して他の端末に接続したり、電話交換網の接続制御を行う。また、このＮＣＵ２は、データ通信路への切り換えを行ったり、ループの保持を行う。更にＮＣＵ２は、ＣＰＵ２２によりバス２６を介して制御されることにより、電話回線２ａを電話機４側に接続（ＣＭＬオフ）したり、電話回線２ａをファクシミリ装置（ハイブリット回路６）側に接続（ＣＭＬオン）する。尚、通常状態では、電話回線２ａは電話機４側（２ｂ）に接続されている。６はハイブリッド回路で、送信系の信号と受信系の信号とを分離し、加算回路１２からの送信信号１２ａをＮＣＵ２経由で電話回線２ａに送出する。また相手側からの信号をＮＣＵ２を経由して受け取り、信号線６ａ経由で変復調器８に送る。８は変復調器（モデム）で、ＩＴＵ−Ｔ勧告Ｖ．８，Ｖ．２１，Ｖ．２７ｔｅｒ，Ｖ．２９，Ｖ．１７，Ｖ．３４に基づいた変調及び復調を行うことができる。尚、この変復調器８における伝送モードの指示は、バス２６を介してＣＰＵ２２の制御により行われる。この変復調器８は、バス２６を介して送信信号を入力し、その変調データを信号線８ａに出力して送信する。一方、信号線６ａを介して入力される受信信号を復調してバス２６に出力する。１０は発呼回路で、バス２６を介して電話番号情報を入力し、信号線１０ａにＤＴＭＦの選択信号を出力する。１２は加算回路で、信号線８ａの情報と信号線１０ａの情報を入力し、それらを加算した結果を信号線１２ａに出力する。
【０００９】
１４はカラー画像を読み取り可能な読取回路で、読み取ったカラー画像データをバス２６に出力する。１６はカラー画像の記録が可能な記録回路で、バス２６を介して記録情報を入力し、その記録情報に従って順次１ライン毎に記録する。１８はメモリ（ＲＡＭ）で、ワーク用のメモリ（ＲＡＭ）、更に、読み取り回路１４で読み取った画像データの生情報、或いは、その画像情報を符号化した情報を格納したり、また、電話回線２ａを介して受信した受信情報、及びそれを復号した情報等を、バス２６を介して入力して格納している。ここで、メモリ１８の用紙種別メモリ１８ａには、図３に示すように、記録回路１６の記録紙を収容している用紙カセットにセットされている記録紙の種別を登録できる。本実施の形態では、用紙カセット１、用紙カセット２に対応して記録紙の紙種を記憶している。２０は操作部で、ワンタッチダイヤル、短縮ダイヤル、テンキー、＊キー、＃キー、スタートキー、ストップキー、セットキー、カラー情報の読み取りを選択する選択キー、ファイル情報の送信を選択するキー、受信したファイル情報をカードへ転送する選択キー、その他のファンクションキーがあり、この操作部２０で操作されたキー情報はバス２６を介して出力される。この操作部２０には表示部が設けられており、この表示部には、バス２６を介して入力サれる情報が表示される。２２はＣＰＵ（中央処理装置）で、この実施の形態に係るファクシミリ装置全体の動作を制御をしたり、ファクシミリの伝送制御手順を実行している。なお、このＣＰＵ２２の制御プログラムはＲＯＭ２４に格納されている。２８はカード・インターフェース部で、カード３０（例えば、デジタルカメラで撮影した情報が記憶されているコンパクトフラッシュ（登録商標）カード）がセットされる。
【００１０】
図２は、本実施の形態に係る、カラー関連のビット情報、更に、新規にＩＴＵ−Ｔ勧告Ｔ．３０に追加する情報を説明する図である。
（１）ＤＩＳ／ＤＴＣ信号のＦＩＦのビット６８により、色空間ＬａｂでのＪＰＥＧ受信機能の有無を通知する。またＤＣＳ信号のＦＩＦのビット６８により、色空間ＬａｂでのＪＰＥＧ送信を指定する。
（２）ＤＩＳ／ＤＴＣ信号のＦＩＦのビット６９により、色空間がＬａｂであるフルカラー画像の受信機能の有無を通知する。またＤＣＳ信号のＦＩＦのビット６９により、色空間Ｌａｂでのフルカラー画像の送信を指定する。
（３）ＤＩＳ／ＤＴＣ信号のＦＩＦのビットＸにより、色空間ｓＹＣＣでのＪＰＥＧ符号の受信機能の有無を通知する。また、ＤＣＳ信号のＦＩＦのビットＸにより、色空間ｓＹＣＣでのＪＰＥＧ符号での送信を指定する。
【００１１】
本実施の形態に係るカラーファクシミリ装置では、前手順にて、受信機から送信機に、色空間ＬａｂでのＪＰＥＧ符号情報の受信機能の有無、色空間Ｌａｂでのフルカラー情報の受信機能の有無、或いは色空間ｓＹＣＣでのＪＰＥＧ符号情報の受信機能の有無を通知する。一方、送信機から受信機に対しては、色空間ＬａｂでのＪＰＥＧ符号情報の送信指定、色空間Ｌａｂでのフルカラー情報の送信指定、或いは色空間ｓＹＣＣでのＪＰＥＧ符号情報の送信指定、更には、記録紙の紙種を設定する。そして送信機からＪＰＥＧ符号の送信が指定された場合には、特定の紙種の記録紙がセットされているか否かに応じて、送信機から送信されてくる受信情報をプリントするか否かを決定する。即ち、送信機からＪＰＥＧ符号の送信が指定された時、特定の紙種の記録紙がセットされていれば、その受信情報のプリントを実行し、特定の紙種の記録紙がセットされていなければ、その受信情報のプリントを実行しないようにしている。
【００１２】
具体的には、送信機から色空間ｓＹＣＣでのＪＰＥＧ符号の送信が指定された場合は、受信機において、特定の紙種の記録紙がセットされているか否かに応じて、その受信情報をプリントするか否かを決定する。即ち、受信機に特定の紙種の記録紙がセットされていればその受信情報をプリントし、特定の紙種の記録紙がセットされていなければ、その受信情報のプリントを実行しないで、メモリカード或いは、受信機のメモリに格納する。ここで、特定の紙種としては、例えば高品位のカラー画像の印刷が可能な写真用紙等がある。
【００１３】
図４乃至図１１は、本発明の実施の形態に係るファクシミリ装置における処理を示すフローチャートであり、この処理を実行するプログラムはＲＯＭ２４に記憶されており、ＣＰＵ２２の制御の下に実行される。
【００１４】
まずステップＳ１で、バス２６を介して、メモリ１８の内容を初期化する。ここでは、用紙種別メモリ１８ａには、記録回路１６の用紙カセット１、用紙カセット２に収容されている記録紙の種類をいずれも「普通紙」として記憶する。次にステップＳ２に進み、バス２６を介して、操作部２０の表示部をクリアする。そしてステップＳ３に進み、バス２６を介してＮＣＵ２のＣＭＬをオフする。次にステップＳ４に進み、このファクシミリ装置において、受信が選択されたか否かを判断し、受信が選択された時はステップＳ５に進み、そうでない時はステップＳ７に進み、選択或いは指示された、その他の処理をする。ステップＳ７の次はステップＳ８に進み、記録回路１６の用紙カセットに対応して、記録紙の紙種の登録指示が選択されたか否かを判断し、登録指示が入力されるとステップＳ９に進み、バス２６を介して、用紙カセット１、用紙カセット２に対応して、記録紙の紙種を例えば、図３に示すように、メモリ１８の用紙種別メモリ１８ａに登録する。尚、ステップＳ８で登録指示でない時、及びステップＳ９を実行した後は、図１１のステップＳ７０に進む。
【００１５】
図３は、この用紙種別メモリ１８ａのデータ例を示す図で、記録回路１６の用紙カセット１には「普通紙」がセットされており、用紙カセット２には「写真用紙」がセットされていることが登録されている。
【００１６】
尚、この用紙種別の判定は、オペレータが操作部２０を使用して入力してもよく、或いは各用紙カセットに用紙タイプセンサを設け、この用紙タイプセンサによる判定結果に基づいて、この種別情報をメモリ１８ａに登録するようにしても良い。
【００１７】
一方、ステップＳ４で受信が選択された時はステップＳ５に進み、バス２６を介してＮＣＵ２のＣＭＬをオンし、ステップＳ６で、前手順として、ＤＩＳ信号のＦＩＦのビット６８，６９，Ｘを「１」にする。
【００１８】
次にステップＳ１０（図５）に進み、ＤＣＳ信号のＦＩＦのビットＸが「１」であるか否かを判断し、「１」であればステップＳ１１に進み、バス２６を介して、用紙種別メモリ１８ａの情報を読取り、記録回路１６の用紙カセットに「写真用紙」がセットされているか否かを判定し、セットされている時はステップＳ１２に進み、その写真用紙がセットされている用紙カセットを選択し、受信した色空間ｓＹＣＣのＪＰＥＧ符号データを復号してイメージデータに展開し、写真モードで写真用紙に印刷する。そしてステップＳ１３に進み、後手順を実行してステップＳ３に戻る。
【００１９】
一方、ステップＳ１１で、記録回路１６に、写真用紙がセットされている用紙カセットが存在しない時はステップＳ１４に進み、メモリカード３０が装着されていてファクシミリ画像の受信が可能であるか否かを判定する。可能であればステップＳ１５に進み、そのファクシミリ画像を受信し、その受信した色空間ｓＹＣＣのＪＰＥＧ符号データをメモリカード３０に格納する。そしてステップＳ１６で後手順を実行した後、ステップＳ３に戻る。
【００２０】
またステップＳ１４で、メモリカード３０が装着されていない時はステップＳ２０（図６）に進み、メモリ１８に受信画像を記憶できるメモリ容量があるかどうかをみる。メモリ１８に記憶可能な場合はステップＳ２１に進み、受信した色空間ｓＹＣＣのＪＰＥＧ符号データをメモリ１８に格納する。そしてステップＳ２２に進み、後手順を実行してステップＳ３に戻る。
【００２１】
又ステップＳ２０で、メモリ１８に受信画像を記憶できるメモリ容量がない時はステップＳ２３に進み、操作部２０の表示部に「メモリがフルです。受信情報のプリントをして下さい」と表示して、オペレータに報知する。そしてステップＳ３に戻る。尚、この表示は操作部２０のクリアキー等のキー操作で消去できる。
【００２２】
一方、前述のステップＳ１０（図５）で、ＤＣＳ信号のＦＩＦのビットＸが「１」でなければステップＳ３０（図７）に進み、ＤＣＳ信号のＦＩＦのビット６８又は６９ビットが「１」であるか否かを判断し、そうであればステップＳ３１に進み、用紙種別メモリ１８ａを参照して、記録回路１６の用紙カセットに普通紙がセットされているかを判断し、普通紙がセットされていればステップＳ３２に進み、受信した色空間ＬａｂのＪＰＥＧ符号データを復号してイメージデータに展開し、普通紙にフルカラーで印刷する。そしてステップＳ３３に進み、後手順を実行してステップＳ３に戻る。
【００２３】
又ステップＳ３１で、普通紙がセットされていない時はステップＳ３４に進み、記録回路１６の用紙カセットに写真用紙がセットされているか否かを判定し、写真用紙がセットされている時はステップＳ３５に進み、受信した色空間ＬａｂのＪＰＥＧ符号データを復号してイメージデータに展開し、写真用紙にフルカラーで印刷する。そしてステップＳ３６に進み、後手順を実行してステップＳ３に戻る。
【００２４】
またステップＳ３４で、記録回路１６の用紙カセットに写真用紙がセットされていない時はステップＳ４０（図８）に進み、画像データを受信してメモリ１８に格納可能であるか否かを判定し、格納可能である時はステップＳ４１に進み、受信した色空間ＬａｂのＪＰＥＧ符号データをメモリ１８に格納する。そしてステップＳ４２に進み、後手順を実行してステップＳ３に戻る。
【００２５】
又、図７のステップＳ３０で、ＤＣＳ信号のＦＩＦのビット６８又は６９ビットが「１」でない時（モノクロ画像の場合）はステップＳ５０（図９）に進み、記録回路１６の用紙カセットに普通紙がセットされているか否かを判断し、不写しがセットされている時はステップＳ５１に進み、受信したモノクロデータを普通紙にモノクロで印刷する。そしてステップＳ５２に進み、後手順を実行してステップＳ３に戻る。
【００２６】
一方、ステップＳ５０で、記録回路１６の用紙カセットに普通紙がセットされていない時はステップＳ６０（図１０）に進み、受信した画像データをメモリ１８に格納できるか否かを判定し、可能であればステップＳ６１に進み、受信したモノクロデータをメモリ１８に格納する。そしてステップＳ６２に進み、後手順を実行してステップＳ３に戻る。
【００２７】
また、図４のステップＳ８でＮｏの場合、或いはステップＳ９の実行後にステップＳ７０（図１１）に進み、オペレータにより操作される操作部２０からの情報を入力し、メモリカード３０に格納されている画像情報のプリントが選択されたか否かを判断する。メモリカード３０の印刷が指示されるとステップＳ７１に進み、記録回路１６の用紙カセットに写真用紙が収容されているか否かを判断し、収容されていればステップＳ７２に進み、メモリカード３０に格納されていて、選択された画像情報を、写真モードで写真用紙に印刷する。
【００２８】
一方、ステップＳ７１で、記録回路１６に写真用紙がセットされていない場合はステップＳ８０（図１２（Ａ））に進み、操作部２０の表示部に「写真用紙をセットして下さい」と表示して、オペレータに写真用紙の装着を促してステップＳ３に進む。尚、この表示は操作部２０の何らかのキー操作で消去される。
【００２９】
またステップＳ７０で、メモリカード３０の内容のプリントでない場合はステップＳ８１（図１２（Ｂ））に進み、操作部２０から入力される情報に基づいて、メモリ１８に格納されている画像情報のプリントが選択されたか否かを判断し、そうであればステップＳ８２に進み、そのプリントが選択された画像情報が色空間ｓＹＣＣの画像情報であるか否かを判定する。そうであればステップＳ８３に進み、記録回路１６に写真用紙がセットされているか否かを判断し、セットされていればステップＳ８４に進み、メモリ１８に格納されている、選択された画像情報を写真モードで写真用紙に記録する。そしてステップＳ３に進む。尚、ステップＳ８１で、メモリ１８に格納されている画像情報のプリント指示でない時はステップＳ３に進む。
【００３０】
またステップＳ８２で、プリントが選択された画像情報が色空間ｓＹＣＣの画像情報でないときはステップＳ９０（図１３）に進み、プリントが選択された画像情報の色空間がＬａｂであるか否かを判定する。そうであればステップＳ９１に進み、記録回路１６に普通紙がセットされているか否かを判定し、普通紙がセットされていればステップＳ９２に進み、メモリ１８に格納されている、選択された画像情報を普通紙にフルカラーで印刷する。そしてステップＳ３に進む。
【００３１】
またステップＳ９１で、記録回路１６に普通紙がセットされていない時はステップＳ９３に進み、記録回路１６に写真用紙がセットされているか否かを判断し、セットされていればステップＳ９４に進み、メモリ１８に格納されている、選択された画像情報を、写真用紙にフルカラーで記録する。そしてステップＳ３に進む。
【００３２】
また一方、ステップＳ９３で、写真用紙がセットされていない時はステップＳ１０１（図１４（Ａ））に進み、操作部２０の表示部に「普通紙をセットして下さい」と表示して、オペレータに普通紙のセットを促す。この表示は操作部２０の何らかのキー操作で消去される。そしてステップＳ３に進む。
【００３３】
また図１３のステップＳ９０で、プリントが選択された画像情報の色空間がＬａｂでない時はステップＳ１０２（図１４（Ｂ））に進み、記録回路１６に普通紙がセットされているか否かを判断し、セットされていればステップＳ１０３に進み、メモリ１８に格納されている、選択された画像情報を、普通紙にモノクロで印刷する。尚、ステップＳ１０２で普通紙がセットされていない時は前述のステップＳ１０１に進む。
【００３４】
以上説明したように本実施の形態によれば、カラー画像情報の送信が選択された時には、受信機に特定の紙種の記録紙がセットされていれば受信情報のプリントを実行し、特定の紙種の記録紙がセットされていなければ、その受信情報のプリントを実行しないようにできる。このため高画質のプリントを実現できる。
【００３５】
また、高画質のプリントができない場合は、特定の紙種の記録紙がセットされた後に、その高画質の画像をプリントできるようになる。これによりユーザにとって極めて使い易いファクシミリ装置を提供できるようになった。
【００３６】
又本実施の形態によれば、デジタルスチルカメラで撮影した画像情報を加工せずに送信している可能性が高い色空間ｓＹＣＣでのカラー画像情報の送信が選択された時には、受信機に特定の紙種の記録紙がセットされていれば受信情報のプリントを実行し、逆に特定の紙種の記録紙がセットされていなければ、受信情報のプリントを実行しないようにできる。これにより、デジタルカメラで撮影された高画質の画像を高品位にプリントできる。また高画質の画像プリントができない場合は、その特定の紙種の記録紙がセットされた後、その記録紙にプリントするようにできるため高画質な画像プリントが可能になり、ユーザには極めて使い易くなった。
【００３７】
また更に本実施の形態によれば、カラー画像情報、或いはデジタルスチルカメラで撮影した画像情報を加工せずに送信している可能性が高い色空間ｓＹＣＣのカラー画像情報の送信が選択された時には、受信機に特定の紙種の記録紙がセットされていれば受信情報のプリントを実行し、特定の紙種の記録紙がセットされていなければ受信情報のプリントを実行しないように制御でき、更に、所望の用紙がセットされていない時は、メモリカード或いはファクシミリ装置の本体のメモリに格納できる。そして、その所望の用紙をセットした後、そのメモリカード或いはメモリより画像データを読み出して、その特定の紙種の記録紙を印刷することができる。
【００３８】
［他の実施の形態］
本発明の目的は前述したように、実施形態の機能を実現するソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【００３９】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した実施の形態の機能が実現される場合も含まれている。
【００４０】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した実施の形態の機能が実現される場合も含む。
【００４１】
以上説明したように本実施の形態によれば、色空間ｓＹＣＣの画像ファイルをそのまま送信でき、又受信機でもその画像ファイルを受信して処理できる。又その受信した画像ファイルをそのままコンパクトフラッシュ（登録商標）カードへアップロードできる。
【００４２】
また、色空間ｓＹＣＣの画像ファイルでＪＰＥＧ形式の情報を送信できるため、受信側の装置に合ったファクシミリカラー通信が可能となる。
【００４３】
又本実施の形態によれば、前手順で色空間ｓＹＣＣでの受信機能の有無を示す１ビットを追加するのみで、一画素情報の拡張ビット数、サブサンプリングの通知は、ＤＩＳ信号、ＤＣＳ信号、ＤＴＣ信号のＦＩＦに１ビットを増加するだけで実現できる。これにより、ＦＩＦの今後の拡張の可能性を残して、色空間Ｌａｂのみならず色空間ｓＹＣＣに対しても適用できるようになった。
【００４４】
本発明の実施態様の例を以下に列挙ずる。
【００４５】
［実施態様１］  カラー画像情報を通信可能なファクシミリ装置であって、
送信機に対して色空間ＬａｂのＪＰＥＧ符号情報の受信機能の有無を通知する手段と、
色空間Ｌａｂのフルカラー情報の受信機能の有無を通知する手段と、
色空間ｓＹＣＣのＪＰＥＧ符号情報の受信機能の有無を通知する手段と、
記録部に装着されている記録紙の紙種を判定する判定手段と、
前記送信機から前記ＪＰＥＧ符号情報が送信されると、前記判定手段により特定の紙種の記録紙が装着されているか否かに応じて、受信した前記ＪＰＥＧ符号情報の前記記録部による記録を制御する制御手段と、
を有することを特徴とするファクシミリ装置。
【００４６】
［実施態様２］  前記送信機から色空間ｓＹＣＣのＪＰＥＧ符号情報が送信され、前記判定手段が特定の紙種の記録紙が装着されていると判定すると、前記制御手段は前記ＪＰＥＧ符号情報を前記記録部により記録させることを特徴とする実施態様１に記載のファクシミリ装置。
【００４７】
［実施態様３］  前記送信機から色空間ＬａｂのＪＰＥＧ符号情報が送信され、前記判定手段が特定の紙種の記録紙が装着されていると判定すると、前記制御手段は前記ＪＰＥＧ符号情報を前記記録部により記録させることを特徴とする実施態様１に記載のファクシミリ装置。
【００４８】
［実施態様４］  前記制御手段は更に、前記送信機から色空間ＬａｂのＪＰＥＧ符号が送信されるか、或いは色空間ｓＹＣＣのＪＰＥＧ符号が送信されると、前記判定手段により前記特定の紙種の記録紙が装着されていないと判定された場合に前記ＪＰＥＧ符号情報をメモリに格納するように制御することを特徴とする実施態様１乃至３のいずれかに記載のファクシミリ装置。
【００４９】
［実施態様５］  前記制御手段は更に、前記送信機から色空間ＬａｂのＪＰＥＧ符号が送信されるか、或は色空間ｓＹＣＣのＪＰＥＧ符号が送信されると、前記判定手段により前記特定の紙種の記録紙が装着されていないと判定された場合に、前記ＪＰＥＧ符号情報を着脱可能なメモリカードに格納するように制御することを特徴とする実施態様１乃至３のいずれかに記載のファクシミリ装置。
【００５０】
［実施態様６］  前記特定の紙種は写真用紙であることを特徴とする実施態様１乃至５のいずれかに記載のファクシミリ装置。
【００５１】
［実施態様７］  カラー画像情報を通信可能なファクシミリ装置における通信制御方法であって、
送信機に対して色空間ＬａｂのＪＰＥＧ符号情報の受信機能の有無を通知する工程と、
色空間Ｌａｂのフルカラー情報の受信機能の有無を通知する工程と、
色空間ｓＹＣＣのＪＰＥＧ符号情報の受信機能の有無を通知する工程と、
記録部に装着されている記録紙の紙種を判定する判定工程と、
前記送信機から前記ＪＰＥＧ符号情報が送信されると、特定の紙種の記録紙が装着されているか否かに応じて、受信した前記ＪＰＥＧ符号情報の前記記録部による記録を制御する制御工程と、
を有することを特徴とする通信制御方法。
【００５２】
［実施態様８］  前記送信機から色空間ｓＹＣＣのＪＰＥＧ符号情報が送信され、前記特定の紙種の記録紙が装着されていると判定されると、前記制御工程では前記ＪＰＥＧ符号情報を前記記録部により記録させることを特徴とする実施態様７に記載の通信制御方法。
【００５３】
［実施態様９］  前記送信機から色空間ＬａｂのＪＰＥＧ符号情報が送信され、前記特定の紙種の記録紙が装着されていると判定されると、前記制御工程では前記ＪＰＥＧ符号情報を前記記録部により記録させることを特徴とする実施態様７に記載の通信制御方法。
【００５４】
［実施態様１０］  前記制御工程では更に、前記送信機から色空間ＬａｂのＪＰＥＧ符号が送信されるか、或いは色空間ｓＹＣＣのＪＰＥＧ符号が送信されると、前記特定の紙種の記録紙が装着されていないと判定された場合に前記ＪＰＥＧ符号情報をメモリに格納するように制御することを特徴とする実施態様７乃至９のいずれかに記載の通信制御方法。
【００５５】
［実施態様１１］  前記制御工程では更に、前記送信機から色空間ＬａｂのＪＰＥＧ符号が送信されるか、或は色空間ｓＹＣＣのＪＰＥＧ符号が送信されると、前記特定の紙種の記録紙が装着されていないと判定された場合に、前記ＪＰＥＧ符号情報を着脱可能なメモリカードに格納するように制御することを特徴とする実施態様７乃至９のいずれかに記載の通信制御方法。
【００５６】
［実施態様１２］  前記特定の紙種は写真用紙であることを特徴とする実施態様７乃至１１のいずれかに記載の通信制御方法。
【００５７】
【発明の効果】
以上説明したように本発明によれば、ＪＰＥＧ符号情報を受信して、その画像を特定の紙種の記録紙に記録できるという効果がある。
【図面の簡単な説明】
【図１】本発明の実施の形態に係るファクシミリ装置の構成を示す機能ブロック図である。
【図２】本実施の形態のファクシミリ装置で使用されるＤＩＳ／ＤＴＣ，ＤＣＳ信号のＦＩＦ情報の具体例を示す図である。
【図３】本実施の形態に係るファクシミリ装置の用紙種別メモリのデータ構成例を示す図である。
【図４】本実施の形態に係るファクシミリ装置における制御の流れを説明するフローチャートである。
【図５】本実施の形態に係るファクシミリ装置における制御の流れを説明するフローチャートである。
【図６】本実施の形態に係るファクシミリ装置における制御の流れを説明するフローチャートである。
【図７】本実施の形態に係るファクシミリ装置における制御の流れを説明するフローチャートである。
【図８】本実施の形態に係るファクシミリ装置における制御の流れを説明するフローチャートである。
【図９】本実施の形態に係るファクシミリ装置における制御の流れを説明するフローチャートである。
【図１０】本実施の形態に係るファクシミリ装置における制御の流れを説明するフローチャートである。
【図１１】本実施の形態に係るファクシミリ装置における制御の流れを説明するフローチャートである。
【図１２】本実施の形態に係るファクシミリ装置における制御の流れを説明するフローチャートである。
【図１３】本実施の形態に係るファクシミリ装置における制御の流れを説明するフローチャートである。
【図１４】本実施の形態に係るファクシミリ装置における制御の流れを説明するフローチャートである。
【図１】
2004228899.tif 000003
【図２】
2004228899.tif 000004
【図３】
2004228899.tif 000005
【図４】
2004228899.tif 000006
【図５】
2004228899.tif 000007
【図６】
2004228899.tif 000008
【図７】
2004228899.tif 000009
【図８】
2004228899.tif 000010
【図９】
2004228899.tif 000011
【図１０】
2004228899.tif 000012
【図１１】
2004228899.tif 000013
【図１２】
2004228899.tif 000014
【図１３】
2004228899.tif 000015
【図１４】
2004228899.tif 000016